(57)【要約】【課題】装飾・展示品を簡易に固定して、かつ、迅速に取り外すことのできる装飾・展示装置を提供する。【解決手段】装飾・展示品２に棒状とした脚部軸３を形成し、この脚部軸３を壁面または床面４に差し入れて装飾・展示品２を配列する装飾・展示装置であって、前記装飾・展示品２の脚部軸３にはキー７を設け、壁面または床面４には前記キー７が挿入係止される受キー９を形成した。【選択図】図１
2015160311.tif 000002
【特許請求の範囲】
【請求項１】
装飾・展示品に棒状とした脚部軸を形成し、この脚部軸を壁面または床面に差し入れて装飾・展示品を配列する装飾・展示装置であって、前記装飾・展示品の脚部軸にはキーを設け、壁面または床面には前記キーが挿入係止される受キーを形成したことを特徴とする装飾・展示装置。
【請求項２】
キーは、脚部軸に設ける突起片からなるものであり、受キーは挿入孔とキー溝に設けるキー旋回溝からなる請求項１記載の装飾・展示装置。
【請求項３】
キー旋回溝は８０°以上旋回し、相対向するキー旋回溝の終端同士は同一平面位置で重合する請求項２記載の装飾・展示装置。
【請求項４】
受キーはパネルに多数設け、装飾・展示品はパネル面に多数配設する請求項１ないし請求項３のいずれかに記載の装飾・展示装置。
【請求項５】
装飾・展示品は、人工植栽、造花、擬木、擬岩、擬石、擬流木のいずれかである請求項１ないし請求項４のいずれかに記載の装飾・展示装置。
【発明の詳細な説明】
【技術分野】
【０００１】
本発明は、人工植栽等の装飾・展示装置に関するものである。
【背景技術】
【０００２】
近年、住宅やオフィス、病院、公共施設等の室内や外壁等の空間デザインとして、壁面の装飾が注目され、緑化がブームであり、特に壁面緑化の需要が高まっている。
【０００３】
この壁面緑化に植栽を用いることもあるが、植物は、水やりや、病虫害対策等メンテナンスの手間やコストがかかるという問題がある。
【０００４】
そこで、人工的な植栽を壁面に装飾することで緑化や自然化が考えられ、その場合、人工植栽を壁面に多数並べて設置することになる。
【０００５】
かかる人工植栽物の設置は、壁面に孔をあけておき、その孔に人工植栽の根元部分を差し込み、または、ねじ込む。
【０００６】
さらに固定する場合には、根元部をそのまま、または、根元部の端部をはさみで切開いた後、足場を組んでガンタッカーで壁面に止める。
【０００７】
このようなガンタッカーでの係止まで行うとすると、足場を組んでの作業場を必要とするなど、工程が多く、手間と時間がかっていた。
【０００８】
また、壁面に設置したパネルに人工植栽をガンタッカーで固定したり、事前にパネルに人工植栽をガンタッカーで固定したものを装飾・展示現場に搬入して設置することも多く行われていた。
【０００９】
しかし、季節や行事ごとに人工植栽等の装飾・展示品の種類やデザインを変更する場合や、装飾・展示品が光での変色等や摩耗が生じた場合外観を美しく保つために、定期的に交換する必要があるが、このようなメンテナンスを行う場合、足場を組んで、固定した人工植栽を壁面等から外し、新たな人工植栽で装飾し直すことは工程が多く、大変な手間と時間が必要で、コストがかかっていた。また、この場合、パネルごと交換する場合もあり、交換したものを処分しなければならず、資源問題となっていた。
【００１０】
なお、装飾・展示品の着脱の１つの事例として、下記特許文献１には、部品点数の少ない簡単な構造を有する掲示物を掲示する装飾パネルが開示されている。
【００１１】
特許文献１は図２０に示すように、装飾パネル５０は、マグネット吸着プレート５１の正面側において、掲示物６０が、マグネット６１で該マグネット吸着プレート５１の非開口部５６の部位に吸着されることによって、留め付けることができる。
【００１２】
また、掲示物６０は、押しピン等のピン６２により、該掲示物６０をマグネット吸着プレート５１の正面側に留め付けることができる。この場合、該掲示物６０は、ピン６２により、露出部６３を介してピン留めボード５７に突き刺されて掲示されるものとなる。
【００１３】
さらに、掲示物６０は、マグネット吸着プレート５１の開口部５２、５３の開口端５４、５５から、マグネット吸着プレート５１の背面側とピン留めボード５７の正面側との間に、該掲示物６０が部分的に挿入されることによって、マグネット吸着プレート５１の正面側に留め付けることができる。この装飾パネル５０を用いれば、該掲示物６０に適した複数の開口部５２、５３の内から選択し、選択された開口部５２、５３に提示物６０の端部を挿入させることによって、該掲示物６０を掲示することができる。
【先行技術文献】
【特許文献】
【００１４】
【特許文献１】特開２０１０−１８４４０７号公報
【発明の概要】
【発明が解決しようとする課題】
【００１５】
しかしながら、前記特許文献記載の装飾パネル５０は、種々の掲示物６０を、マグネット６１，ピン６２等の留め具により留め付けたり、掲示物６０をマグネット吸着プレート５１の開口部５２、５３の開口端５４、５５から差し込んで、マグネット吸着プレート５１の背面側およびピン留めボード５７のカバー部材５９の正面側間に挟持・支持して掲示するという構造のため、装飾・展示品の着脱可能ではあるものの、装飾・展示品が固定されずに不安定な状態である、という問題点があった。
【００１６】
本発明の目的は前記従来例の不都合を解消し、装飾・展示品を簡易に取り付けることができ、かつ、迅速に取り外すことのできる装飾・展示装置を提供することにある。
【課題を解決するための手段】
【００１７】
本発明者らは、上記課題を解決する為に鋭意努力した結果、本発明を完成した。すなわち、本発明の要旨は、次のとおりである。
【００１８】
請求項１記載の本発明は、装飾・展示品に棒状とした脚部軸を形成し、この脚部軸を壁面または床面に差し入れて装飾・展示品を配列する装飾・展示装置であって、前記装飾・展示品の脚部軸にはキーを設け、壁面または床面には前記キーが挿入係止される受キーを形成したことを要旨とするものである。
【００１９】
請求項１記載の本発明によれば、装飾・展示品は棒状とした脚部軸を有するため、この脚部軸を壁面または床面の孔に差し入れるだけで、多くの装飾・展示品を並べて配置することができる。しかも、壁面または床面に設置された受キーに、キーを差し込み、受キーによりキーが係止されることにより、差し込みと連続して簡便に装飾・展示品が固定され、また、迅速に取り外しができる。
【００２０】
請求項２記載の本発明は、キーは、脚部軸に設ける突起片からなるものであり、受キーは挿入孔とキー溝に設けるキー旋回溝からなることを要旨とするものである。
【００２１】
請求項２記載の本発明によれば、装飾・展示品の脚部軸に突起片からなるキーを設け、受キーの挿入孔にキー溝にそってキーを差し込み、キー旋回溝に沿ってひねることにより、装飾・展示品が確実に固定され、装飾・展示されると共に、迅速に取り外しができる。
【００２２】
請求項３記載の本発明は、キー旋回溝は８０°以上旋回し、相対向するキー旋回溝の終端同士は同一平面位置で重合することを要旨とするものである。
【００２３】
請求項３記載の本発明によれば、キー旋回溝は８０°以上旋回させる（例えば１００°）ので、相対向するキー旋回溝の終端同士は同一平面位置で重合することになり、使用者に差し込みだけでなく、十分なひねりを行ったという安心感を与え、かつ、受キー９を嵌め込んだキーが戻りにくく、しっかりと確実に止めることができる。
【００２４】
請求項４記載の本発明は、受キーはパネルに多数設け、装飾・展示品はパネル面に多数配設することを要旨とするものである。
【００２５】
請求項４記載の本発明によれば、パネルと装飾・展示品の組み合せをもって装飾・展示パネルとしての使い勝手を向上させるものであり、多種多様の装飾・展示品を自由に、簡易に、確実に取り付けることができ、かつ、迅速に取り外しができるなど利便性の高いものとすることができる。
【００２６】
請求項５記載の本発明は、装飾・展示品は、人工植栽、造花、擬木、擬岩、擬石、擬流木であることを要旨とするものである。
【００２７】
請求項５記載の本発明によれば、自然をデコレートする芸術性を高めるものであり、人工植栽、造花、擬木、擬岩、擬石、擬流木を適宜組み合わせることでより自然に近い装飾とすることができ、装飾性に優れるものを簡単に作り出せる。
【発明の効果】
【００２８】
以上述べたように本発明の装飾・展示装置によれば、装飾・展示品を簡易に取り付けることができ、かつ、迅速に取り外すことのできるものである。
【図面の簡単な説明】
【００２９】
【図１】本発明の装飾・展示装置の第１実施形態を示す要部の斜視図である。
【図２】本発明の装飾・展示装置の１実施形態を示す壁面使用例の斜視図である。
【図３】本発明の装飾・展示装置の１実施形態を示す床面使用例の斜視図である。
【図４】本発明の装飾・展示装置の装飾・展示品の脚部軸の側面図である。
【図５】本発明の装飾・展示装置の装飾・展示品の脚部軸の正面図である。
【図６】本発明の装飾・展示装置の受キーを示す斜視図である。
【図７】本発明の装飾・展示装置の受キーを示す正面図である。
【図８】本発明の装飾・展示装置の第２実施形態を示す斜視図である。
【図９】本発明の装飾・展示装置のパネルの正面図である。
【図１０】本発明の装飾・展示装置のパネルの縦断側面図である。
【図１１】本発明の装飾・展示装置のパネルのエッジの面取りを示す部分拡大図である。
【図１２】本発明の装飾・展示装置の使用組み合わせを示す説明図である。
【図１３】本発明の装飾・展示装置の展示例を示す説明図である。
【図１４】本発明の装飾・展示装置の装飾・展示品の配置指示符号に基づく使用を示す説明図である。
【図１５】本発明の装飾・展示装置の装飾・展示品の他の使用例を示す説明図である。
【図１６】本発明の装飾・展示装置の付加部品の模様なしの状態の説明図である。
【図１７】本発明の装飾・展示装置の付加部品の模様ありの状態の説明図である。
【図１８】本発明の装飾・展示装置に付加部品を付けた状態示す正面図である。
【図１９】本発明の装飾・展示装置に付加部品を付けた状態の他例を示す正面図である。
【図２０】従来例を示す正面図である。
【発明を実施するための形態】
【００３０】
以下図面について本発明の装飾・展示装置１の実施の形態を詳細に説明する。図１は本発明の装飾・展示装置の第１実施形態を示す要部の斜視図で、本発明は、装飾・展示品２とそれを差し込む側の壁面または床面４からなる。
【００３１】
装飾・展示品２に棒状とした脚部軸３を形成し、該脚部軸３にはキー７を設けた。
【００３２】
一方、壁面または床面４には前記キー７が挿入係止される受キー９を形成するが、この受キー９は図６に示すような八角形もしくは円形もしくは他の多角形のパーツとして構成し、これを壁面または床面４の孔５に嵌め込んで設置する。
【００３３】
図２および図３に示すように、本発明で壁面または床面４とは、受キー７を設置することのできるものであればよく、壁、床、天井、柱、パネル１６、枠、ボックスの天板、モールディング、ハンギング形式のもの等や、正方形、長方形、円状、球体状、不定型な形状等の形状、素材を、問わない。図２はパネルを設置して壁面を形成する例、図３は床面を形成する例を示す。
【００３４】
装飾・展示品２は、例えば、観葉植物を模した合成樹脂製のもので、人工植栽６ａのバリエーションとして、ポトスマーブルクイーン、フィロデンドロン、アイビーエバグリーン、ボストンファン、フィットニア、アイビー、ヒメモンステラ、ポトス、アロカシア、ヤツデ等が考えられる。このような人工植栽６ａのほかに、色とりどりの造花（図示せず）をアイテムとして用いても良い。
【００３５】
装飾・展示品２の人工植栽６ａを、葉部はポリ塩化ビニル、茎部はポリエチレンから製造すれば、耐久性が高く広範囲の条件下で使用でき、メンテナンスも容易にできるものとなる。
【００３６】
さらに、装飾・展示品２は、人工植栽６ａ以外に、擬木６ｂ、擬岩６ｃ、擬石６ｄ、擬流木６ｅ等でもよく、これらを組み合わせてもよい。
【００３７】
装飾・展示品２の脚部軸３に突起片からなるキー７を形成した。
【００３８】
図に４、図５には、矩形の突起片によるキー７の一例を示すが、そのサイズや形状は問わず、例えば、正方形や長方形の矩形以外で、半楕円形等でもよい。また、キー７を成す突起片は、図示の例では脚部軸３をはさんで対称位置に設置したが、対称とせずに段違いとなるように設けても良い。
【００３９】
図６に示すように、受けキー９は挿入孔１０とキー溝１１に設けるキー旋回溝１２からなり、該挿入孔１０の途中にキー７を横滑りさせるキー旋回溝１２を分岐させて形成する。
【００４０】
キー溝１１は挿入孔１０の長さ方向に拡径部として設けるもので、挿入孔１０の中心軸に対して対称に設けられる、前記突起片からなるキー７が挿入される部分である。
【００４１】
キー旋回溝１２は、挿入孔１０およびキー溝１１から横に流れる溝であり、その幅はキー７に対応させる。
【００４２】
キー旋回溝１２も挿入孔１０の中心軸に対して対称に設けられるもので、旋回角度は８０°でもよいが、図７に示すように、８０°以上旋回させ、相対向するキー旋回溝１２の終端１４同士は同一平面位置で重合するラップ部分１５を形成するものとする。
【００４３】
キー旋回溝１２に８０°以上、例えば１００°の角度を持たせるのは、ラップ部分１５を形成することにより、受キー９に嵌め込んだキー７が戻りにくく、しっかりと確実に止まるためである。
【００４４】
使用法および動作は、図６、図７に示すように、挿入孔１０から装飾・展示品２の脚部軸３を差し入れる。脚部軸３のキー７がキー旋回溝１２とキー溝１１の接続口に来たところで、脚部軸３を回転させるとキー７がキー旋回溝１２内に入り込み、脚部軸３はキー溝１１から抜け出なくなる。
【００４５】
このように、壁面または床面４の孔５に形成された受キー９にキー７を差し入れ、回転しひねるというワンタッチの動作で、壁面または床面４に装飾・展示品２を固定することができ、抜く時は逆の動作することにより、迅速にワンタッチで取り外すことができる。
【００４６】
図８は本発明の第２実施形態を示すもので、脚部軸３にフランジ８を設けた。このように、脚部軸３にフランジ８を設けることにより、位置決めが容易となり、フランジ８を挿入孔１０に当接させれば、脚部軸３のキー７がキー旋回溝１２のキー溝１１の接続口に来ていることになる。
【００４７】
受キー９は、壁面または床面４やパネル１６に孔５を設け取付け設置されることが考えられるが、壁枠、壁面のモールディング、吊り下げ式の枠や、アーチ、門扉等、場所や位置を問わず、自由に設置することができる。
【００４８】
受キー９をパネル１６に設ける場合、図９、図１０に示すように、パネル１６の受キー９の設置位置は問わず、整列していても、ランダムにあっても良い。一例として、パネル製造にあたり、素材の樹脂を型に流し入れるときに受キーを配置し一体化させることにより、パネルの任意の位置に受キーを設置することができる。この場合でもパネル１６の孔５に受キー９が挿入設置されることになる。
【００４９】
パネル１６は、図９に示すように、取り付けビス用穴１７を四隅およびその他適宜に形成し、ネジ止めすることができる。また、図１１に示すように、パネル１６の四辺のエッジ１８には、面取りを施して、装飾・展示品２を設置する際に角が邪魔にならずに、また、角が立っていないため、設置場所において安全であるように配慮することができる。
【００５０】
パネルの素材、形状は問わないが、一例として、硬質ウレタンフォームが好適である。ポリウレタンから製造される硬質ウレタンフォームは、耐候性・耐熱性・耐寒性・耐薬品性等の耐久性が高いため、直射日光等の紫外線に晒された場合、素地状態、例えば、塗装を施してあるものに関しては塗料の種類により徐々に変色するが、フォーム物性面にはほとんど影響を与えず、高温は約１００℃、低温では約−７０℃まで使用でき、濃酸および一部の溶剤を除いて、常温ではほとんど侵されることはなく、また、独立気泡で構成された発泡体のため吸水性が低く、ほとんど水を吸わず、さらに軽量なため、壁・床等設置場所を選ばず、広範囲の条件下で使用できメンテナンスも容易にできるためである。
【００５１】
図１２に示すように、壁面または床面４としてパネル１６を使用することで、装飾・展示装置１をその設置場所で、装飾・展示品２を壁面または床面４にアレンジしながら設置しなくとも、図１３に示すように、事前にパネル１６に人工植栽６ａや、擬木６ｂ、擬岩６ｃ等と組み合わせ、装飾・展示品２をアレンジしたパネル１６を作成して、設置場所に運搬し取り付けることができる。
【００５２】
これにより、専門家の出張のスケジュール調整や、現場の日程調整等、手間とコストを削減することができる。また、装飾・展示品２をアレンジしたパネル１６を並べて設置したり、パネル１６の形状を設置場所のスペースに合わせることも出来るため、設置場所を選ばない汎用性の高いものである。
【００５３】
パネル１６の使用例としては、図１４に示す壁・床等設置用のウォールタイプや、図１５に示す植木鉢１９の内部に嵌め込んで使用するグランドタイプなども考えられる。
【００５４】
図１４、図１５に示すように、受キー９に対応して配置指示符号２０を施すこともできる。
【００５５】
配置指示符号２０は、事前に装飾・展示品２である人工植栽６ａ、擬木６ｂ等に符号を振り、装飾・展示品２を配置するパネルに設置された各受キーの位置にそれと同一の符号を振って装飾・展示品２を設置する位置関係を明示するものである。
【００５６】
これにより、事前に企画作成された配置指示符号２０の組み合わせパターンに従い、人工植栽６ａ、擬木６ｂ等の装飾・展示品２を壁面または床面４に設置することで、専門家にアレンジメントを依頼せずとも、誰にでも、手間や時間等をかけずに、色、模様、細かい葉、細葉、大葉、グランドカバー等の目的に合った人工植栽６ａを選択し、例えば、カラジューム、ライムポトス、クロトン、シュガーバイン、アジアンタム、ドラセナコンシンナ、セローム、タマリュウなどを用いて、バランスとセンスの良い、美しい装飾・展示装置１を作成することができる。
【００５７】
さらに、人工植栽６ａや擬木６ｂ等の装飾・展示品２と、パネル１６とを、配置指示符号２０を示した図と共に、パッケージ化して販売することができる。
【００５８】
図１６から図１９は、本発明の装飾・展示装置１に付加部品を使用する例であり、装飾・展示品２とは別の付加部品の一例として、擬岩プレート２１をパネル１６に設置する。
【００５９】
擬岩プレート２１は石を模した板状のものであり、両端にコの字状に折り返したチャンネル状の掛着部２２を形成した。
【００６０】
この掛着部２２をパネル１６の端縁２３に嵌め込むことでパネル１６の表面を覆うように設置する。
【００６１】
この場合、パネル１６の端縁２３はリブ形成の縁取りをしたもので（前記エッジ１８に面取りを施したものとは異なる）、掛着部２２にしっかりと嵌め込むことができる。
【００６２】
擬岩プレート２１の取付けは、パネル１６の表面に背景や地模様を直接描かずに施すもので、擬岩プレート２１が設置されていないパネル１６のスペースに設置されている受キー９に、脚部軸３にキー７を形成した人工植栽６ａ、擬６ｂ木、擬岩６ｃ、擬石６ｄ、擬流木６ｅ等の装飾・展示品２をアレンジして装飾・展示することができる。
【産業上の利用可能性】
【００６３】
本発明の装飾・展示装置によれば、街を形成するうえで欠かせない飲食店、銀行、病院、学校、小売店、美容院等の商業施設や住宅の、室内や外壁等のあらゆる場所に、簡便かつ安全に人工植栽等のディスプレイができ、メンテナンスの手間やコストがかからず、豊かで潤いのある生活の創造と、活気のある経済活動を創出することができる。
【符号の説明】
【００６４】
１  装飾・展示装置
２  装飾・展示品
３  脚部軸
４  壁面または床面
５  孔
６ａ  人工植栽
６ｂ  擬木
６ｃ  擬岩
６ｄ  擬石
６ｅ  擬流木
７  キー
８  フランジ
９  受キー
１０  挿入孔
１１  キー溝
１２  キー旋回溝
１３  挿入孔の中心
１４  終端
１５  ラップ部分
１６  パネル
１７  取り付けビス用孔
１８  エッジ
１９  植木鉢
２０  配置指示符号
２１  擬岩プレート
２２  掛着部
２３  端縁
５０  装飾パネル
５１  マグネット吸着プレート
５２、５３  開口部
５４、５５  開口端
５６  非開口部
５７  ピン留めボード
５８  ボード本体
５９  カバー部材
６０  掲示物
６１  マグネット
６２  ピン
６３  露出部
【図１】
2015160311.tif 000003
【図２】
2015160311.tif 000004
【図３】
2015160311.tif 000005
【図４】
2015160311.tif 000006
【図５】
2015160311.tif 000007
【図６】
2015160311.tif 000008
【図７】
2015160311.tif 000009
【図８】
2015160311.tif 000010
【図９】
2015160311.tif 000011
【図１０】
2015160311.tif 000012
【図１１】
2015160311.tif 000013
【図１２】
2015160311.tif 000014
【図１３】
2015160311.tif 000015
【図１４】
2015160311.tif 000016
【図１５】
2015160311.tif 000017
【図１６】
2015160311.tif 000018
【図１７】
2015160311.tif 000019
【図１８】
2015160311.tif 000020
【図１９】
2015160311.tif 000021
【図２０】
2015160311.tif 000022